【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
没入型ビデオ・コンテンツの第１の部分を描画する方法において、
少なくとも１つのコントローラからパラメータを取得することであって、前記パラメータは描画すべき前記第１の部分を表し、前記第１の部分は前記没入型ビデオ・コンテンツの一部分である、該取得することと、
前記第１の部分と前記没入型ビデオ・コンテンツの少なくとも１つの参照部分との間の第１の距離を求めることと、
前記第１の距離に従って前記第１の部分の視覚的品質を劣化させることによって、劣化処理済みバージョンと称される、前記第１の部分のバージョンを処理することであって、前記第１の距離が長いほど、視覚的劣化のレベルがより高くなる、該処理することと、
前記第１の部分の前記劣化処理済みバージョンを描画することと、
を含むことを特徴とする、前記方法。
【請求項２】
前記第１の部分が下位部分に分割され、各々の前記下位部分と前記少なくとも１つの参照部分との間の第２の距離が求められ、前記第２の距離が長いほど、各々の前記下位部分についての視覚的劣化のレベルがより高くなる、請求項１に記載の方法。
【請求項３】
前記視覚的劣化のレベルが時間の経過と共に増大する、請求項１又は２に記載の方法。
【請求項４】
前記第１の距離が、
前記第１の部分の中心と前記少なくとも参照部分の中心との間のユークリッド距離と、
前記少なくとも参照部分の任意の点と前記第１の部分の任意の点との間の一組の距離のうちの最短ユークリッド距離と、
前記少なくとも参照部分の任意の点と前記第１の部分の任意の点との間の複数の距離の平均ユークリッド距離と、
から成る距離の一群に属する、請求項１から３のいずれか１項に記載の方法。
【請求項５】
前記第１の部分の視覚的劣化が、
ぼかし処理、
下方退色処理又は上方退色処理、
彩度の下方又は上方への変更、
ノイズ化処理、及び、
画素化処理、
から成る視覚的劣化の一群に属する、請求項１から４のいずれか１項に記載の方法。
【請求項６】
前記第１の距離が複数の参照部分に従って求められる、請求項１から５のいずれか１項に記載の方法。
【請求項７】
前記劣化処理済みバージョンを表示装置に送信することを更に含む、請求項１から６のいずれか１項に記載の方法。
【請求項８】
前記第１の部分の位置が、ユーザによってコントローラ装置を介して制御される、請求項１から６のいずれか１項に記載の方法。
【請求項９】
没入型ビデオ・コンテンツの第１の部分を描画するように構成された装置において、
少なくとも１つのコントローラからパラメータを取得する手段であって、前記パラメータは描画すべき前記第１の部分を表し、前記第１の部分は現在描画されている前記没入型ビデオ・コンテンツの一部分である、該手段と、
前記第１の部分と少なくとも参照部分との間の第１の距離を求め、
前記第１の距離に従って前記第１の部分の視覚的品質を劣化させることによって、劣化処理済みバージョンと称される、前記第１の部分のバージョンを処理し、前記第１の距離が長いほど、視覚的劣化のレベルがより高くなり、
前記第１の部分の前記劣化処理済みバージョンを描画するように構成されたプロセッサと、
を備えていることを特徴とする、前記装置。
【請求項１０】
前記第１の部分が下位部分に分割され、各々の前記下位部分と前記少なくとも参照部分との間の第２の距離が求められ、前記第２の距離が長いほど、各々の前記下位部分についての視覚的劣化のレベルがより高くなる、請求項９に記載の装置。
【請求項１１】
前記視覚的劣化のレベルが時間の経過と共に増大する、請求項９又は１０に記載の装置。
【請求項１２】
前記第１の距離が、
前記第１の部分の中心と前記少なくとも参照部分の中心との間のユークリッド距離と、
前記少なくとも参照部分の任意の点と前記第１の部分の任意の点との間における最短ユークリッド距離又は平均ユークリッド距離と、
から成る距離を算出する手段の一群に属する、請求項９から１１のいずれか１項に記載の装置。
【請求項１３】
前記第１の部分の視覚的劣化が、
ぼかし処理、
下方退色処理又は上方退色処理、
彩度の下方又は上方への変更、
ノイズ化処理、及び、
画素化処理、
から成る視覚的劣化の一群に属する、請求項９から１２のいずれか１項に記載の装置。
【請求項１４】
前記第１の距離が複数の参照部分に従って求められる、請求項９から１３のいずれか１項に記載の装置。
【請求項１５】
前記劣化処理済みバージョンを表示装置に送信することを更に備えている、請求項９から１４のいずれか１項に記載の装置。
【手続補正２】
【補正対象書類名】明細書
【補正対象項目名】００６４
【補正方法】変更
【補正の内容】
【００６４】
以上、いくつかの実施形態を説明した。しかしながら、種々の修正を加えてもよいことが理解されるであろう。例えば、種々の実施形態の構成要素を組み合わせる、補う、修正する、あるいは、取り去ることによって別の実施形態を実現してもよい。更に、当業者であれば、ここに開示された構成及びプロセスの代わりに別のものを用いてもよく、その結果得られる実施形態が、少なくとも実質的に同じ機能を、少なくとも実質的に同じやり方で、果たして、開示された実施形態と少なくとも実質的に同じ成果を実現できることが理解できるであろう。これに従って、本願は、これらの実施形態及びその他の実施形態を熟慮している。
いくつかの付記を記載しておく。
〔付記１〕
没入型ビデオ・コンテンツ（１０）の第１の部分（１３）を描画する方法において、
少なくとも１つのコントローラからパラメータを取得することであって、前記パラメータは描画すべき前記第１の部分を表し、前記第１の部分は前記没入型ビデオ・コンテンツの一部分である、該取得することと、
前記第１の部分（１３）と前記没入型ビデオ・コンテンツの少なくとも１つの参照部分（２０）との間の第１の距離（２１；３１）を求めることと、
前記第１の距離（２１，３１）に従って前記第１の部分の視覚的品質を劣化させることによって、劣化処理済みバージョン（５３）と称される、前記第１の部分（１３）のバージョンを処理することであって、前記第１の距離（２１，３１）が長いほど、視覚的劣化のレベルがより高くなる、該処理することと、
前記第１の部分の前記劣化処理済みバージョン（５３）を描画するステップと、
を含むことを特徴とする、前記方法。
〔付記２〕
前記第１の部分（１３）が下位部分（４０；４１）に分割され、各々の前記下位部分と前記少なくとも１つの参照部分（２０）との間の第２の距離（４２；４３）が求められ、前記第２の距離（４２；４３）が長いほど、各々の前記下位部分（４０；４１）についての視覚的劣化のレベルがより高くなる、付記１に記載の方法。
〔付記３〕
前記視覚的劣化のレベルが時間の経過と共に増大する、付記１又は２に記載の方法。
〔付記４〕
前記第１の距離（３１）が、
前記第１の部分の中心と前記少なくとも参照部分の中心との間のユークリッド距離と、
前記少なくとも参照部分の任意の点と前記第１の部分の任意の点との間の一組の距離のうちの最短ユークリッド距離と、
前記少なくとも参照部分の任意の点と前記第１の部分の任意の点との間の複数の距離の平均ユークリッド距離と、
から成る距離の一群に属する、付記１から３のいずれか１項に記載の方法。
〔付記５〕
前記第１の部分の視覚的劣化が、
ぼかし処理、
下方退色処理又は上方退色処理、
彩度の下方又は上方への変更、
ノイズ化処理、及び、
画素化処理、
から成る視覚的劣化の一群に属する、付記１から４のいずれか１項に記載の方法。
〔付記６〕
前記第１の距離（３１）が複数の参照部分に従って求められる、付記１から５のいずれか１項に記載の方法。
〔付記７〕
前記劣化処理済みバージョン（５３）を表示装置に送信するステップを更に含む、付記１から６のいずれか１項に記載の方法。
〔付記８〕
前記第１の部分（１３）の位置が、ユーザによってコントローラ装置（６３）を介して制御される、付記１から６のいずれか１項に記載の方法。
〔付記９〕
没入型ビデオ・コンテンツ（１０）の第１の部分（１３）を描画するように構成された装置（６０；７０）において、
少なくとも１つのコントローラからパラメータを取得する手段であって、前記パラメータは描画すべき前記第１の部分を表し、前記第１の部分は現在描画されている前記没入型ビデオ・コンテンツの一部分である、該手段と、
前記第１の部分と少なくとも参照部分との間の第１の距離を求め、
前記第１の距離に従って前記第１の部分の視覚的品質を劣化させることによって、劣化処理済みバージョンと称される、前記第１の部分のバージョンを処理し、前記第１の距離が長いほど、視覚的劣化のレベルがより高くなり、
前記第１の部分の前記劣化処理済みバージョンを描画するように構成されたプロセッサと、
を備えていることを特徴とする、前記装置。
〔付記１０〕
前記第１の部分が下位部分に分割され、各々の前記下位部分と前記少なくとも参照部分との間の第２の距離が求められ、前記第２の距離が長いほど、各々の前記下位部分についての視覚的劣化のレベルがより高くなる、付記９に記載の装置。
〔付記１１〕
前記視覚的劣化のレベルが時間の経過と共に増大する、付記９又は１０に記載の装置。
〔付記１２〕
前記第１の距離が、
前記第１の部分の中心と前記少なくとも参照部分の中心との間のユークリッド距離と、
前記少なくとも参照部分の任意の点と前記第１の部分の任意の点との間における最短ユークリッド距離又は平均ユークリッド距離と、
から成る距離を算出する手段の一群に属する、付記９から１１のいずれか１項に記載の装置。
〔付記１３〕
前記第１の部分の視覚的劣化が、
ぼかし処理、
下方退色処理又は上方退色処理、
彩度の下方又は上方への変更、
ノイズ化処理、及び、
画素化処理、
から成る視覚的劣化の一群に属する、付記９から１２のいずれか１項に記載の装置。
〔付記１４〕
前記第１の距離が複数の参照部分に従って求められる、付記９から１３のいずれか１項に記載の装置。
〔付記１５〕
前記劣化処理済みバージョンを表示装置に送信することを更に備えている、付記９から１４のいずれか１項に記載の装置。